(57)【特許請求の範囲】
【請求項１】
内部に内容器を有する本体ボディの外周部に把手が設けられ、前記本体ボディの外周部の上部側に注ぎ口が設けられ、
弁体の上下動により前記注ぎ口からの前記内容器内の湯水の流出を許容する開き状態と阻止する閉じ状態とに切り換え自在な弁機構が、前記本体ボディ内の上部に設けられ、
支点周りに揺動して前記弁体を作用点にて上下動させて前記弁機構を前記開き状態と前記閉じ状態とに切り換える弁操作具が、力点に相当する操作部を前記把手の上方に位置させる状態で設けられた水加熱容器であって、
前記弁操作具が、前記把手の側の力点側てこ部材と前記弁機構の側の作用点側てこ部材とを、一方が揺動するのに伴って他方が揺動するように、前記把手と前記弁機構との間において端部同士を連結した状態で設けて構成され、
前記力点側てこ部材が、把手側の端部を前記操作部として前記把手の上方に位置させた状態で、把手側の端部と弁機構側の端部との間を支点として横方向の軸心周りに揺動自在に設けられ、
前記作用点側てこ部材が、その把手側の端部が前記力点側てこ部材の弁機構側の端部に連結されて、前記力点側てこ部材の上下方向揺動に連動して横方向の軸心を支点として上下方向に揺動するのに伴って、前記弁体を上下動させて前記弁機構を前記開き状態と前記閉じ状態とに切り換えるように設けられ、
前記作用点側てこ部材が、その弁機構側の端部が前記作用点として前記弁体の上方に位置する状態で、弁機構側の端部と把手側の端部との間を支点として横方向の軸心周りに揺動自在に設けられ、
前記本体ボディ内から蒸気を放出する蒸気口が、前記本体ボディの上部における前記弁機構と前記把手との間の前記把手側に偏った位置に設けられ、
前記力点側てこ部材の弁機構側の部分、及び、前記作用点側てこ部材の把手側の部分夫々が二股状に構成されて、前記力点側てこ部材の二股状の部分と前記作用点側てこ部材の二股状の部分とが、前記蒸気口の両側部を囲む状態で、当該蒸気口の両側部にて連結されている水加熱容器。
【請求項２】
前記本体ボディが、前記内容器を内部に備えて上部が開口した容器本体と、その容器本体の開口部に対して着脱自在で且つ前記開口部に取り付けられた状態で前記開口部を閉じる蓋体とを備えて構成され、
前記把手が、前記容器本体の外周部に設けられ、
前記弁機構及び前記弁操作具が、前記蓋体に設けられている請求項１に記載の水加熱容器。
【発明の詳細な説明】
【技術分野】
【０００１】
本発明は、内部に内容器を有する本体ボディの外周部に把手が設けられ、前記本体ボディの外周部の上部側に注ぎ口が設けられ、弁体の上下動により前記注ぎ口からの前記内容器内の湯水の流出を許容する開き状態と阻止する閉じ状態とに切り換え自在な弁機構が、前記本体ボディ内の上部に設けられ、支点周りに揺動して前記弁体を作用点にて上下動させて前記弁機構を前記開き状態と前記閉じ状態とに切り換える弁操作具が、力点に相当する操作部を前記把手の上方に位置させる状態で設けられた水加熱容器に関する。
【背景技術】
【０００２】
かかる水加熱容器は、把手を把持して本体ボディを持ち上げると共に、その把手を把持した手で弁操作具の操作部に力を作用させて、弁機構を開き状態に切り換える側に弁体を移動させ、その状態で、注ぎ口が下向きになるように本体ボディを傾けることにより、注ぎ口から内容器内の湯水を注ぐものである。
ちなみに、水加熱容器の具体例としては、例えば、電気ケトル、電気ポット等が挙げられる。
【０００３】
このような水加熱容器において、従来は、弁操作具が、弁機構に対して把手の側とは反対側の端部を横方向の軸心周りで揺動自在な支点として、弁機構の上方を通って把手の上部にまで延びる形態で設けられた１本の操作レバーにて構成されていた。
そして、その操作レバーにおける把手の上方の端部の操作部を力点として押し下げることにより、操作レバーにおける弁機構の上方に当接する部分を作用点として、弁体を下方に移動させて弁機構を開き状態に切り換える構成となっていた（例えば、特許文献１参照。）。
【先行技術文献】
【特許文献】
【０００４】
【特許文献１】特開２００８−２１２３１５号公報
【発明の概要】
【発明が解決しようとする課題】
【０００５】
しかしながら、従来の水加熱容器では、弁操作具が上述の如き１本の操作レバーにより構成されることから、支点と力点（即ち、操作部）との距離が長くなり、そのことによって、作用点と力点との距離も長くなる。そこで、弁機構を開き状態に切り換えるべく、操作レバーにより、弁体を閉じ状態から開き状態に切り換えるために必要な所定量下側に移動させるには、操作部をかなり大きい量（即ち、弁体の移動量よりもかなり大きい量）押し下げる必要があり、その操作部の移動操作量が大きいので、弁機構を開き状態に切り換えるための操作性が悪いという問題があった。
【０００６】
ところで、注ぎ口から湯水を注ぐには、弁機構から注ぎ口に至る湯水の注ぎ用流動経路を通して湯水を流動させることになる。
そして、注ぎ口から湯水を注いだ後に注ぎ口から流出せずに注ぎ用流動経路に残留する湯水の量を少なくするために、注ぎ用流動経路を短くすることが望まれる場合があり、又、注ぎ口から湯水を注ぐときに、水加熱容器を傾ける角度が小さくても、注ぎ口から流出せずに内容器に残留する湯水の量を少なくすることが望まれる場合がある。これら場合は、弁機構を本体ボディ内の上部において把手の側とは反対側（注ぎ口の側）に寄せて設けることになる。
従って、このように弁機構を設ける場合には、従来の水加熱容器では、操作レバーにおける作用点と力点（即ち、操作部）との距離が更に長くなるので、弁機構を開き状態に切り換えるための操作部の移動操作量が更に大きくなり、操作性が更に悪くなる。
【０００７】
尚、通常は、弁機構を閉じ状態に切り換えるべく弁体を移動させるための移動方向に向かって、弁操作具が付勢されているので、上述のように、弁機構を開き状態に切り換えるための操作性が悪くなっても、弁機構を閉じ状態に切り換えるための操作性が悪くなることはないが、弁操作具が上述のように付勢されていない場合は、弁機構を閉じ状態に切り換えるための操作性も悪くなるのは勿論である。
【０００８】
本発明は、かかる実情に鑑みてなされたものであり、その目的は、弁機構の開閉状態を切り換えるための操作性を向上し得る水加熱容器を提供することにある。
【課題を解決するための手段】
【０００９】
上記目的を達成するための本発明に係る水加熱容器は、内部に内容器を有する本体ボディの外周部に把手が設けられ、前記本体ボディの外周部の上部側に注ぎ口が設けられ、弁体の上下動により前記注ぎ口からの前記内容器内の湯水の流出を許容する開き状態と阻止する閉じ状態とに切り換え自在な弁機構が、前記本体ボディ内の上部に設けられ、支点周りに揺動して前記弁体を作用点にて上下動させて前記弁機構を前記開き状態と前記閉じ状態とに切り換える弁操作具が、力点に相当する操作部を前記把手の上方に位置させる状態で設けられた水加熱容器であって、
その特徴構成は、前記弁操作具が、前記把手の側の力点側てこ部材と前記弁機構の側の作用点側てこ部材とを、一方が揺動するのに伴って他方が揺動するように、前記把手と前記弁機構との間において端部同士を連結した状態で設けて構成され、
前記力点側てこ部材が、把手側の端部を前記操作部として前記把手の上方に位置させた状態で、把手側の端部と弁機構側の端部との間を支点として横方向の軸心周りに揺動自在に設けられ、
前記作用点側てこ部材が、その把手側の端部が前記力点側てこ部材の弁機構側の端部に連結されて、前記力点側てこ部材の上下方向揺動に連動して横方向の軸心を支点として上下方向に揺動するのに伴って、前記弁体を上下動させて前記弁機構を前記開き状態と前記閉じ状態とに切り換えるように設けられ、
前記作用点側てこ部材が、その弁機構側の端部が前記作用点として前記弁体の上方に位置する状態で、弁機構側の端部と把手側の端部との間を支点として横方向の軸心周りに揺動自在に設けられ、
前記本体ボディ内から蒸気を放出する蒸気口が、前記本体ボディの上部における前記弁機構と前記把手との間の前記把手側に偏った位置に設けられ、
前記力点側てこ部材の弁機構側の部分、及び、前記作用点側てこ部材の把手側の部分夫々が二股状に構成されて、前記力点側てこ部材の二股状の部分と前記作用点側てこ部材の二股状の部分とが、前記蒸気口の両側部を囲む状態で、当該蒸気口の両側部にて連結されている点にある。
【００１０】
上記特徴構成によれば、力点側てこ部材の把手側の端部である操作部を上下方向に移動操作して、力点側てこ部材を上下方向に揺動させると、その上下方向の揺動に連動して作用点側てこ部材が上下方向に揺動して、作用点側てこ部材の作用点により弁体が上方又は下方に移動されて弁機構が開き状態又は閉じ状態に切り換えられる。
そして、弁操作具が、把手と弁機構との間において端部同士が連結された力点側てこ部材と作用点側てこ部材とにより構成されているので、各てこ部材の長さを従来の如き弁操作具を構成する１本の操作レバーの長さに比べてかなり短くすることができる。
このことにより、弁機構を開き状態又は閉じ状態に切り換えるべく作用点側てこ部材の作用点により弁体を上方又は下方に移動させるための作用点側てこ部材における把手の側の端部の上下方向の移動量を小さくすることができるので、その端部に連結された力点側てこ部材における弁機構側の端部の上下方向の移動量も小さくすることができるようになり、その結果、設置高さを低く抑えながら、力点側てこ部材における把手の側の端部である操作部の上下方向の移動操作量を小さくすることができる。
従って、弁機構の開閉状態を切り換えるための操作性を向上し得る水加熱容器を提供することができるようになった。
【００１２】
また、本体ボディ内から蒸気を放出する蒸気口が本体ボディの上部における弁機構と把手との間に設けられて、蒸気口から蒸気が上向きに放出されるので、蒸気口から放出される蒸気が水加熱容器の側方の物品等（例えば壁面）に吹き付けられるのを防止することができる。
そして、力点側てこ部材の弁機構側の部分及び作用点側てこ部材の把手側の部分夫々が二股状に構成されて、力点側てこ部材の二股状の部分と作用点側てこ部材の二股状の部分とが、蒸気口の両側部を囲む状態で連結されているので、蒸気口と各てこ部材の配設位置をずらすことができ、力点側てこ部材及び作用点側てこ部材の設置高さが高くなるのを回避することができる。又、蒸気口から放出される蒸気が力点側てこ部材や作用点側てこ部材に当たるのを防止することができるので、力点側てこ部材及び作用点側てこ部材の耐久性の低下を防止することができる。
【００１４】
さらに、力点側てこ部材の把手側の端部である操作部を下方側に向けて移動操作して、力点側てこ部材を揺動させると、その揺動に連動して作用点側てこ部材がその弁機構側の端部の作用点が下方側に移動するように揺動する。
そして、弁機構は、弁体が下方に移動されると開き状態に切り換えられる構成にすると、力点側てこ部材の把手側の端部である操作部を下方側に向けて移動操作することにより、弁機構が開き状態に切り換えられることになる。
つまり、親指を力点側てこ部材の把手側の端部である操作部に引っ掛けた状態で、把手を把持すると、その把持動作は親指を下向きに動かす動作を含むものであるので、そのような親指を下向きに動かす動作を含む把手の把持動作により、弁機構を開き状態に切り換えることが容易となるので、操作性を一段と向上することができる。
【００１５】
しかも、作用点側てこ部材を、その弁機構側の端部の作用点が弁体の上方に位置する状態で、弁機構よりも把手の側の部分を支点として横方向の軸心周りに揺動自在に設けることにより、作用点側てこ部材の作用点の上下動のストロークを大きくすることができるので、弁体の上下動のストロークが十分に大きい弁機構を本体ボディの上部において把手の側とは反対側（注ぎ口の側）に寄せて設けても、弁機構を適切に開閉操作することができる。
従って、注ぎ用流動経路を極力短くすることができるので、注ぎ口から湯水を注いだ後に注ぎ口から流出せずに注ぎ用流動経路に残留する湯水の量を極力少なくすることができる。又、注ぎ口から湯水を注ぐときに水加熱容器を傾ける角度が小さくて済むので、湯水を注ぎ易く、注ぎ口から流出せずに内容器に残留する湯水を量を少なくすることができる。
【００１６】
本発明に係る水加熱容器の更なる特徴構成は、前記本体ボディが、前記内容器を内部に備えて上部が開口した容器本体と、その容器本体の開口部に対して着脱自在で且つ前記開口部に取り付けられた状態で前記開口部を閉じる蓋体とを備えて構成され、
前記把手が、前記容器本体の外周部に設けられ、
前記弁機構及び前記弁操作具が、前記蓋体に設けられている点にある。
【００１７】
上記特徴構成によれば、本体ボディが容器本体とその容器本体の開口部に対して着脱自在な蓋体とを備えて構成され、弁機構及び弁操作具が蓋体に設けられているので、容器本体の開口部を大きくすることができ、しかも、容器本体の形状を簡素化することができるものとなり、容器本体の洗浄を容易化することができる。
ちなみに、力点側てこ部材と作用点側てこ部材からなる弁操作具を蓋体と容器本体とに跨って分離状態で設けて、蓋体が容器本体に着脱されるのに伴って、互いに分離状態の両者が連結及び分離されるように構成する場合が想定されるが、この場合は、構成が複雑になる。
従って、容器本体の洗浄を容易化することができ、しかも、構成の簡略化により、水加熱容器の低廉化を図ることができる。
【図面の簡単な説明】
【００１８】
【図１】電気ケトルの外観を示す斜視図
【図２】ケトル本体が電源プレートから持ち上げられた状態での電気ケトルの斜視図
【図３】電気ケトルの縦断側面図
【図４】ケトル本体が電源プレートから持ち上げられた状態での電気ケトルの下部の縦断側面図
【図５】蓋体を容器本体から分離した状態でのケトル本体の斜視図
【図６】蓋カバーを省略した状態でのケトル本体の斜視図
【図７】蓋カバーが設けられた状態での図６のＶＩＩ−ＶＩＩ矢視図
【図８】蓋カバーが設けられた状態での図６のＶＩＩ−ＶＩＩ矢視図
【図９】蓋カバーが設けられた状態での図６のＩＸ−ＩＸ矢視図
【図１０】弁操作具を説明するケトル本体の上部の縦断側面図
【図１１】ケトル本体の底部の縦断面図
【図１２】参考例に係る弁操作具を説明するケトル本体の上部の縦断側面図
【発明を実施するための形態】
【００１９】
以下、図面に基づいて、本発明を水加熱容器の一例としての電気ケトルに適用した場合の実施形態を説明する。
図１〜図３に示すように、電気ケトルは、電源プレートＰとその電源プレートＰに載置自在な本体ボディとしてのケトル本体Ｋとを備えて構成されている。
ケトル本体Ｋの内部には、湯水を貯留する内容器１が設けられ、ケトル本体Ｋの外周部には、ケトル本体Ｋを持ち上げるための把手２が設けられ、並びに、ケトル本体Ｋの外周部の上部側には、内容器１内の湯水を注ぐ注ぎ口３が設けられている。把手２及び注ぎ口３は、ケトル本体Ｋの上部の中心に対して互いに反対側に振り分けて設けられている。
図５にも示すように、ケトル本体Ｋは、内部に内容器１を備えて上部が開口した概ね有底円筒状の容器本体１００と、その容器本体１００の開口部を開閉自在な概ね円盤状の蓋体２００とを備えて構成されている。そして、蓋体２００は、容器本体１００の開口部に対して着脱自在で、その開口部に嵌めこまれた状態で容器本体１００に装着されることにより、その開口部を閉じるように構成されている。
【００２０】
図３及び図４に示すように、ケトル本体Ｋには、内容器１内の湯水を加熱する電気ヒータ４が備えられ、外部から供給される電力を電気ヒータ４に供給する受電機構５が底面の中央部に位置する状態で備えられ、並びに、図１及び図２に示すように、操作盤６が側周面の下部に位置する状態で備えられている。ちなみに、図示を省略するが、操作盤６には、電気ヒータ４への通電の開始及び停止を指令する運転スイッチ等が備えられている。
図２〜図４に示すように、電源プレートＰには、電源コード（図示省略）を通して供給される電力を外部に出力する給電機構７が上面の中央部に位置する状態で備えられている。
そして、ケトル本体Ｋを電源プレートＰに載置した給電姿勢において、受電機構５と給電機構７とが導通状態に接続されて、給電機構７から受電機構５を介して電気ヒータ４に給電されて、内容器１内の湯水が加熱されるように構成されている。
又、把手２を把持してケトル本体Ｋを持ち上げて注ぎ口３が下向きになるように傾けることにより、内容器１内の湯水を注ぎ口３から注ぐことになる。
【００２１】
図１及び図２に示すように、ケトル本体Ｋの蓋体２００には、蓋体２００を容器本体１００の開口部を閉じる閉じ位置に保持する一対のフック部材８、注ぎ口３からの内容器１内の湯水の流出を許容するか否かに切り換えるための弁操作具９、及び、内容器１で発生する蒸気を放出するための蒸気口１０等が設けられている。
【００２２】
次に、図３〜図１１に基づいて、ケトル本体Ｋについて説明を加える。
尚、図６は、蓋体２００の蓋カバー１６（詳細は後述する）を省略した状態でのケトル本体Ｋの斜視図であり、図７及び図８は、蓋カバー１６を設けた状態での図６におけるＶＩＩ−ＶＩＩ矢視図であり、図９は、蓋カバー１６を設けた状態での図６におけるＩＸ−ＩＸ矢視図である。
【００２３】
図３に示すように、容器本体１００は、概ね、有底円筒状の外郭部材１１の口縁部に口縁部材１２を嵌め込むと共に、その口縁部材１２に有底円筒状の内容器１を吊り下げ支持して構成され、更に、中空状の把手２が口縁部材１２と外郭部材１１とに跨って取り付けられている。
図３及び図４に示すように、電気ヒータ４は、内容器１の底面に当接する状態で設けられている。
外郭部材１１の底部の中心部には、その底面から引っ込んだ状態で、給電機構７を嵌め込むことが可能な円状の給電機構嵌め込み用凹部１３が設けられ、その給電機構嵌め込み用凹部１３内に受電機構５が設けられている。
その受電機構５は、ピン状の中心電極５ａと、その中心電極５ａの外周部に設けられた外側電極５ｂと、その外側電極５ｂの外周部に設けられたアース用電極（図示省略）とを備えて構成されている。ちなみに、中心電極５ａと外側電極５ｂは、後述する給電機構７の中心穴７Ａと環状穴７Ｂに夫々設けられた給電用の中心電極７ａ、外側電極７ｂに接続されて、それらの電極から供給される電力を受ける受電用の電極であり、アース用電極は、後述する給電機構７のアース用電極に接続される。
【００２４】
図３、図７及び図８に示すように、口縁部材１２における把手２の上端部の取付部には、蓋体２００に設けられた蒸気検知用通路２２（詳細は後述する）を通して内容器１から導かれる蒸気を検知する蒸気検知センサ１４が設けられている。
【００２５】
図１１に示すように、外郭部材１１の底部と内容器１の底部との間の空間には、制御ボックス４０が設けられ、その制御ボックス４０内には、電気ケトルの運転を制御する制御部（図示省略）、湯が沸き上がった等の情報を報知するブザー４１等を搭載した制御基板４２が設けられている。尚、図１１は、図３とは異なる断面での電気ケトルの要部の縦断面図である。
制御ボックス４０の上壁には開口が形成され、先拡がり円筒状の保護カバー部４３が、その上端側を制御ボックス４０の上壁の開口から突出させてその開口に内嵌させた状態で、制御ボックス４０の上壁に吊り下げ支持されている。
保護カバー部４３の上端開口には、保護カバー部４３の内径よりも小径で音を通すための通音口４４ｈを有する通音板４４が嵌め込まれている。
ブザー４１は、保護カバー部４３内に位置するように制御基板４２上に設けられ、更に、保護カバー部４３内には、先拡がり状で且つ大径側の端部が閉じられた円筒状の通音筒４５が、その大径側の端部が上向きになる姿勢でブザー４１の上方に被さるように設けられている。通音筒４５は、金属（例えばアルミニウム）製であり、その上部には複数の孔４５ｈが形成されている。
尚、保護カバー部４３は、制御ボックス４０の上壁と一体に形成しても良い。
あるいは、保護カバー４３及び通音板４４を、制御ボックス４０の上壁と一体に形成して、通音筒４５を省略しても良い。
【００２６】
そして、ブザー４１の鳴動音は、通音筒４５を通して通音板４４の通音口４４ｈに導かれて、その通音口４４ｈから制御ボックス４０の外部に放出されるので、ブザー４１の放出音を大きくすることができるようになり、ブザー４１の鳴動音が使用者に聞き取り易いようにすることができる。
又、上端に通音板４４を備えた保護カバー部４３は、制御ボックス４０の上壁から突出する状態で設けられているので、外郭部材１１と内容器１との間に湯水が侵入しても、その湯水が制御ボックス４０内に浸入するのを抑制することができ、湯水の浸入による制御基板４２の故障を抑制することができる。
【００２７】
図３、図５、図７及び図９に示すように、蓋体２００は、蓋本体部材１５、その蓋本体部材１５の上方の蓋カバー１６、蓋本体部材１５の下方の内蓋板１７、及び、その内蓋板１７の外周部のシール材１８等を一体的に組み付けて構成されている。
容器本体１００の口縁部材１２には、注ぎ口３の下方部分を構成する溝状部１２ｍが形成され、蓋体２００の蓋本体部材１５には、注ぎ口３の上方部分を構成する庇部１５ｅが設けられている。
そして、口縁部材１２の溝状部１２ｍの上方を蓋本体部材１５の庇部１５ｅが覆う状態となる蓋体装着用の相対位置関係で、蓋体２００を容器本体１００の開口部に装着すると、口縁部材１２の溝状部１２ｍと蓋本体部材１５の庇部１５ｅにより、筒状の注ぎ口３が形成されることになる。
【００２８】
図７及び図８に示すように、内蓋板１７には複数の孔１７ｈが形成され、蓋体２００における蓋本体部材１５と内蓋板１７との間には、内蓋板１７に形成された複数の孔１７ｈを通して容器本体１００の内容器１に連通する容器連通空間１９が形成されている。
そして、蓋本体部材１５には、基端が容器連通空間１９に臨み且つ先端が注ぎ口３内に延びる注ぎ用通路２０（注ぎ用流動経路に相当する）、及び、基端が容器連通空間１９に臨み且つ先端が蓋体２００の上面部にまで延びる蒸気放出用通路２１が形成され、その蒸気放出用通路２１の先端開口部が蒸気口１０として機能する。
図１及び図５にも示すように、蒸気口１０は、蓋体２００の上面における注ぎ口３と把手２を結ぶ線上における把手２の側に偏った位置に開口されている。
又、図７及び図８に示すように、蓋本体部材１５には、蒸気放出用通路２１から分岐する蒸気検知用通路２２が形成され、図５にも示すように、その蒸気検知用通路２２は、その先端が、蓋体２００が容器本体１００に装着された状態で、蓋本体部材１５の側周部において口縁部材１２における把手２の取付部に対向する箇所に開口するように形成されている。
【００２９】
詳細な図示を省略するが、図３、図７及び図８に示すように、蒸気放出用通路２１における蒸気検知用通路２２の分岐箇所よりも上流側の部分には、電気ケトルが転倒すると蒸気放出用通路２１を閉じるように移動すべく、２個の錘体２３が設けられている。
従って、電気ケトルが転倒しても、２個の錘体２３が蒸気放出用通路２１を閉じるように移動するので、内容器１内の湯水が蒸気口１０や蒸気検知用通路２２の先端開口から漏出するのが防止される。
【００３０】
蒸気検知センサ１４は、蓋体２００が容器本体１００に装着された状態で、蓋体２００の蒸気検知用通路２２の先端開口部に臨むように、口縁部材１２に取り付けられている。
電気ヒータ４の加熱により内容器１内の水が沸騰して蒸気が発生すると、その蒸気が蒸気放出用通路２１を通して蒸気口１０に導かれてその蒸気口１０から放出されると共に、蒸気放出用通路２１及び蒸気検知用通路２２により蒸気検知センサ１４に導かれる。
制御部は、蒸気検知センサ１４が蒸気を感知すると、電気ヒータ４への通電を遮断すると共に、ブザー４１を鳴動させるように構成されている。
【００３１】
図５、図６及び図９に示すように、一対のフック部材８の夫々は、蓋体２００の上面に沿う方向に前後進自在で且つコイルバネ２４により前進方向（蓋体２００の径方向外方側）に付勢された状態で設けられている。
又、各フック部材８の前端側の下面８ｓが、後方側ほど上面から遠ざかる形態の後ろ下がり傾斜状に構成されている。
容器本体１００の口縁部材１２には、一対のフック部材８夫々の後下がり傾斜状の下面８ｓが容器本体１００に当接した状態から、蓋体２００が下向きに移動されて閉じ位置に位置されるに伴って、一対のフック部材８夫々の前端部が嵌まり込んで蓋体２００を閉じ位置に保持する一対の凹部２５が設けられている。
一対のフック部材８は、蓋体２００の中心に対して互いに反対側に振り分けて設けられ、一対の凹部２５は、各フック部材８に夫々対応するように設けられている。
【００３２】
図５、図６及び図９に示すように、各フック部材８は、側面視形状が概ねＬ字状である。以下、側面視形状がＬ字状のフック部材８において、横方向に沿う辺部に相当する部分を嵌め込み用辺部８Ａと称し、上下方向に沿う辺部に相当する部分を操作用辺部８Ｂと称する場合がある。
そして、一対のフック部材８の夫々は、嵌め込み用辺部８Ａの前端が蓋体２００の径方向外方を向き、その嵌め込み用辺部８Ａの前端が蓋本体部材１５の側周面から突出する状態で、コイルバネ２４により蓋体２００の径方向外方に向けて付勢されて蓋本体部材１５に設けられている。
【００３３】
図５及び図９に示すように、前記の各凹部２５は、容器本体１００の口縁部材１２に、蓋体２００の径方向外方側の端部、即ち、外径側の底部が閉じられた有底状に形成され、各凹部２５の上縁部には、口縁部材１２の内方側に突出する形態で庇２６が設けられている。この庇２６の上面２６ｓは、先端側（フック部材８の後方側に相当する）ほど下方に位置する形態（以下、前下がり状と記載する場合がある）の傾斜状に形成されている。
【００３４】
図３、図７及び図８に示すように、蓋体２００内には、弁体２７の上下動により注ぎ口３からの内容器１内の湯水の流出を許容する開き状態と阻止する閉じ状態とに切り換え自在な弁機構Ｖが設けられている。
更に、蓋体２００には、支点周りに揺動して弁体２７を作用点９ｗにて上下動させて弁機構Ｖを開き状態と閉じ状態とに切り換える弁操作具９が、蓋体２００が容器本体１００の開口部に嵌め込まれた状態で、力点に相当する操作部９ｈが把手２の上方に位置するように設けられている。
【００３５】
図７及び図８に示すように、弁機構Ｖは、蓋本体部材１５により形成される弁ケース２８と、その弁ケース２８に上下動自在に保持された弁体２７と、その弁体２７を上方側に付勢することにより弁座２９に押し付けるコイルバネ３０等を備えて構成されている。
つまり、図７に示すように、弁体２７を下方側に押し下げる力が作用しない状態では、コイルバネ３０の付勢力により弁体２７が弁座２９に押し付けられる状態に保持されることになり、弁機構Ｖが注ぎ用通路２０を閉じる閉じ状態に保持されることになる。
【００３６】
そして、そのような弁機構Ｖが、蓋体２００における注ぎ口３と把手２を結ぶ線上において注ぎ口３の側に偏った位置に設けられている。又、蒸気口１０は、蓋体２００における注ぎ口３と把手２を結ぶ線上において把手２の側に偏った位置に設けられている。
【００３７】
本発明では、図６〜図８、及び、図１０に示すように、弁操作具９は、把手２の側の力点側てこ部材９１と弁機構Ｖの側の作用点側てこ部材９２とを、一方が揺動するのに伴って他方が揺動するように、把手２と弁機構Ｖとの間において端部同士を連結した状態で設けて構成されている。尚、図１０の（ａ）は、弁機構Ｖが閉じ状態に保持されている状態を示し、（ｂ）は、弁機構Ｖが開き状態に保持されている状態を示す。
そして、力点側てこ部材９１が、把手側の端部を力点に相当する操作部９ｈとして把手２の上方に位置させた状態で、把手側の端部と弁機構側の端部との間の略中央を支点Ｐ１として水平方向（横方向に相当する）の軸心周りに揺動自在に設けられ、作用点側てこ部材９２が、その把手側の端部が力点側てこ部材９１の弁機構側の端部に連結されて、力点側てこ部材９１の上下方向揺動に連動して水平方向の軸心を支点Ｐ２として上下方向に揺動するのに伴って、弁体２７を上下動させて弁機構Ｖを開き状態と閉じ状態とに切り換えるように設けられている。
【００３８】
この実施形態では、作用点側てこ部材９２が、その弁機構側の端部が作用点９ｗとして弁体２７の上方に位置する状態で、弁機構側の端部と把手側の端部との間の略中央を支点Ｐ２として水平方向の軸心周りに揺動自在に設けられている。つまり、作用点側てこ部材９２において弁体２７の上端部に当接する部分が作用点９ｗとなる。
ちなみに、この実施形態での作用点側てこ部材９２は、支点Ｐ２に対して作用点９ｗと力点（把手側の端部）が両側にある第１種てこ式である。
【００３９】
つまり、図８及び図１０の（ｂ）に示すように、力点側てこ部材９１をその把手側の端部の操作部９ｈを押し下げる方向に揺動させると、その揺動に連動して、作用点側てこ部材９２がその弁機構側の端部の作用点９ｗが下がる方向に揺動することになる。
そして、図７、図８及び図１０に示すように、作用点側てこ部材９２をその弁機構側の端部の作用点９Ｗが上方に移動する方向に揺動するように、換言すれば、力点側てこ部材９１をその把手側の端部の操作部９ｈが上方に移動する方向に揺動するように付勢するバネ部材３１が設けられている。
【００４０】
又、図６〜図８、及び、図１０に示すように、力点側てこ部材９１の弁機構側の部分、及び、作用点側てこ部材９２の把手側の部分夫々が二股状に構成されて、力点側てこ部材９１の二股状の部分と作用点側てこ部材９２の二股状の部分とが、蒸気口１０の両側部を囲む状態で連結されている。
【００４１】
図５、図７及び図９に示すように、蓋体２００の蓋カバー１６には、一対のフック部材８夫々を移動操作するための一対のフック操作用開口３２、力点側てこ部材９１の把手側の部分を突出させるためのてこ操作用開口３３、及び、蓋本体部材１５の蒸気口１０を臨ませるための蒸気口用開口３４が形成されている。
そして、蓋カバー１６の蒸気口用開口３４には、複数のスリットが形成された蒸気口キャップ３５が嵌め込まれている。
【００４２】
図２〜図４に示すように、給電機構７は、外観形状が概略円柱状に構成されて、電源プレートＰの上面の中央にその上面から突出するように設けられている。
給電機構７は、図３及び図４に示すように、中心穴７Ａと、その中心穴７Ａと同心に設けられた環状穴７Ｂとを備え、これら穴７Ａ，７Ｂに夫々設けられる中心電極７ａ、外側電極７ｂと、給電機構７の円柱状外周部位の周方向一部に設けられるアース用電極（図示省略）とを備えて構成されている。
そして、ケトル本体Ｋが電源プレートＰ上に給電姿勢で載置されると、給電機構７がケトル本体Ｋ底部の給電機構嵌め込み用凹部１３内に嵌り込んで、給電機構７と受電機構５の互いの電極が電気的に接続されて給電が可能となる。
【００４３】
次に、蓋体２００を容器本体１００に装着したり容器本体１００から取り外すときの手順、及び、注ぎ口３から湯水を注ぐときの手順について、説明を加える。
蓋体２００を容器本体１００に装着するときは、蓋体２００を蓋体装着用の相対位置関係で容器本体１００の開口部に載置する。すると、一対のフック部材８夫々の前端部における後下がり傾斜状の下面８ｓが一対の凹部２５夫々の庇２６における前下がり傾斜状の上面２６ｓと略平行状態となってその上面２６ｓに当接する状態となる。
その状態で、蓋体２００を下方に押し下げると、一対のフック部材８夫々が、一対の凹部２５夫々の庇２６における前下がり傾斜状の上面２６ｓの案内によりコイルバネ２４の付勢力に抗して後退させられることになる。
更に、蓋体２００を下方に押し下げると、一対のフック部材８が庇２６を乗り越えて、コイルバネ２４の付勢力により一対の凹部２５夫々に嵌まり込んで、蓋体２００が閉じ位置で容器本体１００に保持される。
【００４４】
注ぎ口３から湯水を注ぐときは、図２に示すように、例えば、親指を力点側てこ部材９１の把手側の端部である操作部９ｈに引っ掛けた状態で把手２を把持して、ケトル本体Ｋを持ち上げる。
そして、把手２を把持した状態で、親指にて、バネ部材３１の付勢力に抗して力点側てこ部材９１の把手側の端部の操作部９ｈを押し下げると、図８及び図１０の（ｂ）に示すように、作用点側てこ部材９２がその弁機構側の端部の作用点９ｗが下がる方向に揺動して、弁体２７がコイルバネ３０の付勢力に抗して押し下げられることになり、弁機構Ｖが注ぎ用通路２０を開く開き状態に切り換えられる。
又、力点側てこ部材９１の把手側の端部の操作部９ｈを押し下げる力を解放すると、図７及び図１０の（ａ）に示すように、バネ部材３１の付勢力及びコイルバネ３０の付勢力により、作用点側てこ部材９２がその弁機構側の端部の作用点９ｗが上がる方向に揺動すると共に、力点側てこ部材９１がその把手側の端部の操作部９ｈが上がる方向に揺動し、並びに、弁体２７がコイルバネ３０の付勢力により押し上げられて、弁機構Ｖが注ぎ用通路２０を閉じる閉じ状態に切り換えられる。
【００４５】
蓋体２００を容器本体１００から取り外すときは、一対のフック部材８を両側から挟む状態で把持して互いに近接させると、一対のフック部材８が一対の凹部２５の外部に出て開放されるので、そのまま蓋体２００を持ち上げると、容器本体１００から取り外すことができる。
【００４６】
本発明では、弁操作具９が、上述のように力点側てこ部材９１と作用点側てこ部材９２とから構成されている。
そして、弁機構Ｖを開き状態に切り換えるべく弁体２７を下方に移動させるための作用点側てこ部材９２における把手側の端部の移動量を小さくすることができ、このことによって、その端部に連結された力点側てこ部材９１における弁機構側の移動量も小さくすることができるので、力点側てこ部材９１における把手側の端部である操作部９ｈの移動操作量を小さくすることができる。
又、親指を力点側てこ部材９１の把手側の端部である操作部９ｈに引っ掛けた状態で、把手２を把持すると、その把持動作は親指を下向きに動かす動作を含むものであるので、そのような親指を下向きに動かす動作を含む把手２の把持動作により、弁機構Ｖを容易に開き状態に切り換えることができる。
従って、操作部９ｈの上下方向の移動操作量を小さくすることができることに加えて、把手２を把持する動作に伴う親指の下方への動きにより弁機構Ｖを開き状態に切り換えることができるので、弁機構Ｖを開き状態に切り換えるための操作性を効果的に向上することができる。
【００４７】
〔別実施形態〕
次に別実施形態を説明する。
（Ａ）  弁操作具９の具体構成は、上記の実施形態において例示した構成に限定されるものではない。
本発明の実施形態ではない参考例では、図１２に示すように、作用点側てこ部材９２を、支点Ｐ３に対して作用点９ｗと力点（力点側てこ部材９１に連結される把手側の端部）が同じ側にあり、しかも、力点よりも作用点９ｗの方が支点Ｐ３に近い第２種てこ式にて構成する。尚、図１２の（ａ）は、弁機構Ｖが閉じ状態に保持されている状態を示し、（ｂ）は、弁機構Ｖが開き状態に保持されている状態を示す。
つまり、図１２に示すように、作用点側てこ部材９２は、弁機構Ｖに対して把手側とは反対側から弁機構Ｖの上方を越えて把手側に延びる形態で、把手側とは反対側の端部を支点Ｐ３として水平方向の軸心周りで揺動自在に設け、その把手側の端部を力点側てこ部材９１の弁機構側の端部に連結する。そして、力点側てこ部材９１において、支点Ｐ３と力点（把手側の端部）との間における弁体２７の上部に当接する部分が作用点９ｗとなる。
又、図示を省略するが、作用点側てこ部材９２をその把手側の端部が上方に移動する方向に揺動するように付勢する、換言すれば、力点側てこ部材９１をその把手側の端部の操作部９ｈが下方に移動する方向に揺動するように付勢するバネ部材を設ける。
そして、図１２の（ｂ）に示すように、前記バネ部材の付勢力に抗して力点側てこ部材９１の把手側の端部の操作部９ｈを押し上げると、作用点側てこ部材９２がその把手側の端部が下がる方向に揺動して、作用点９ｗにより弁体２７がコイルバネ３０の付勢力に抗して押し下げられることになり、弁機構Ｖが開き状態に切り換えられる。
【００４８】
（Ｂ）  上記の実施形態では、弁機構Ｖ及び弁操作具９を蓋体２００に設ける場合について例示したが、弁機構Ｖを蓋体２００に設け、力点側てこ部材９１と作用点側てこ部材９２からなる弁操作具９を蓋体２００と容器本体１００とに跨って分離状態で設けて、蓋体２００が容器本体１００に着脱されるのに伴って、互いに分離状態の両者が連結及び分離されるように構成しても良い。
この場合、例えば、力点側てこ部材９１を容器本体１００と蓋体２００とに跨って分離状態で設けて、蓋体２００が容器本体１００に着脱されるのに伴って、互いに分離状態の両者が連結及び分離されるように構成する。
【００４９】
（Ｃ）  上記の実施形態では、蓋体２００と容器本体１００とを互いに分離した状態に構成したが、蓋体２００を、容器本体１００に水平方向の軸心周りに揺動自在に支持して、蓋体２００を軸心周りに揺動させることにより、容器本体１００の開口部を開閉するように構成しても良い。
【００５０】
（Ｄ）  上記の実施形態では、力点側てこ部材９１における支点Ｐ１の位置を、把手側の端部と弁機構側の端部との間の略中央としたが、把手側の端部又は弁機構側の端部のいずれかに偏った位置にしても良い。又、作用点側てこ部材９２における支点Ｐ２の位置を、弁機構側の端部と把手側の端部との間の略中央としたが、弁機構側の端部又は把手側の端部のいずれかに偏った位置にして良い。
【００５１】
（Ｅ）  上記の実施形態において、弁機構Ｖのコイルバネ３０を省略しても良い。
尚、弁機構Ｖを閉じ状態、開き状態に保持するための保持機構を設けるのが好ましい。
【００５２】
（Ｆ）  本発明を適用可能な水加熱容器の具体例としては、上記の実施形態において例示した電気ケトルに限定されるものではなく、例えば、電気ポットでも良い。
【産業上の利用可能性】
【００５３】
以上説明したように、弁機構の開閉状態を切り換えるための操作性を向上し得る水加熱容器を提供することができる。
【符号の説明】
【００５４】
１      内容器
２      把手
３      注ぎ口
９      弁操作具
９ｈ    操作部
９ｗ    作用点
１０    蒸気口
２７    弁体
９１    力点側てこ部材
９２    作用点側てこ部材
１００  容器本体
２００  蓋体
Ｋ      ケトル本体（本体ボディ）
Ｐ１    支点
Ｐ２    支点
Ｖ      弁機構
【図１】
0005487435.tif 000002
【図２】
0005487435.tif 000003
【図３】
0005487435.tif 000004
【図４】
0005487435.tif 000005
【図５】
0005487435.tif 000006
【図６】
0005487435.tif 000007
【図７】
0005487435.tif 000008
【図８】
0005487435.tif 000009
【図９】
0005487435.tif 000010
【図１０】
0005487435.tif 000011
【図１１】
0005487435.tif 000012
【図１２】
0005487435.tif 000013